(57)【要約】【課題】第一室（浴室）、第二室（トイレ・洗面所）及び第三室（クローゼット等の収納室）を確実に換気することができ、第三室の換気通路を介して寝室等に騒音が伝わり難く、逆流が生じてもその悪影響を抑制することができる浴室換気暖房乾燥装置を提供する。【解決手段】浴室換気暖房乾燥装置２０は、循環ファン２３から独立した単一の換気ファン２９と第一室（浴室２）とを連通する第一室換気通路（換気通路３０）と、換気ファン２９と第二室（洗面所３，トイレ４）とを連通する第二室換気通路（換気通路１０，８）と、換気ファン２９と第三室（クローゼット５）と連通する第三室換気通路（換気通路１２）と、循環ファン２３、換気ファン２９及び開閉ダンパ３３，３４，３５，３６を制御する制御部４０と、を備え、第三室（クローゼット５）の換気を実行するとき、第一室（浴室２）及び第二室（洗面所３及びトイレ４）の換気を実行しない構成とした。【選択図】図３
2008241096.tif 000002
【特許請求の範囲】
【請求項１】
浴室内を暖房及び換気する浴室換気暖房乾燥装置であって、
浴室内の空気を吸引して当該浴室内へ排出する循環ファンと、
前記循環ファンと独立して設けられた単一の換気ファンと、
前記換気ファンが吸引した空気を排出する排気口と、
前記換気ファンと第一室である前記浴室とを連通する第一室換気通路と、
前記浴室とは別のトイレ若しくは洗面所の少なくとも一つの第二室と前記換気ファンとを連通し、当該第二室の換気を行う第二室換気通路と、
少なくともクローゼット等の収納室である第三室と連通し、当該第三室の換気を行う第三室換気通路と、
前記第一室換気通路、前記第二室換気通路及び前記第三室換気通路にそれぞれ設けられた開閉駆動機構を有する第一開閉手段、第二開閉手段及び第三開閉手段と、
前記循環ファン、前記換気ファン、前記第一開閉手段、第二開閉手段及び第三開閉手段を制御する制御手段と、を備え、
前記制御手段は、前記第三室の換気を実行するとき、前記第一室及び第二室の換気を実行せず前記第三室の換気を単独で実行するように構成したことを特徴とする浴室換気暖房乾燥装置。
【請求項２】
前記第三室の換気中に前記第一室及び前記第二室の換気が実行される場合は、前記第三室の換気を休止して前記第一室及び前記第二室の換気を優先して実行することを特徴とする請求項１記載の浴室換気暖房乾燥装置。
【請求項３】
前記第一室及び前記第二室の換気を終了して所定時間が経過した後、前記第三室の換気休止後の換気再開を実行することを特徴とする請求項２記載の浴室換気暖房乾燥装置。
【請求項４】
前記制御手段は計時手段を備え、前記第三室の換気は予め設定された時間帯に所定時間のみ実行することを特徴とする請求項１〜３のいずれかに記載の浴室換気暖房乾燥装置。
【請求項５】
前記時間帯を日中に設定したことを特徴とする請求項４記載の浴室換気暖房乾燥装置。
【請求項６】
前記第三室の換気は、前記第一室及び前記第二室の換気より前記換気ファンの回転を低下させて実行することを特徴とする請求項１〜５のいずれかに記載の浴室換気暖房乾燥装置。
【請求項７】
前記第三室換気通路に自重式の逆流防止弁を設けたこと特徴とする請求項１〜６のいずれかに記載の浴室換気暖房乾燥装置。
【発明の詳細な説明】
【技術分野】
【０００１】
本発明は、浴室とその他の部屋の換気を行い且つ浴室を暖房する機能を併せ持つ浴室換気暖房乾燥装置に関する。
【背景技術】
【０００２】
クローゼット等の収納室を備えた集合住宅の増加に伴い、クローゼット内の換気が不十分であることに起因するカビや害虫の発生が増加しているが、これを防止する手段の一つとして、クローゼット内を換気するための専用の換気装置が知られている。一方、浴室暖房乾燥機を利用してクローゼット内の換気を行う装置が提案されている（例えば、特許文献１参照。）。特許文献１記載の浴室換気暖房乾燥装置は、浴室、洗面所、トイレ及び居室の四室を同時に換気する機能を備えている。
【０００３】
【特許文献１】特開２００４−２５１５０３号公報
【発明の開示】
【発明が解決しようとする課題】
【０００４】
前述したように、特許文献１記載の浴室換気暖房乾燥装置は、浴室、洗面所、トイレ及び居室の四室を同時に換気することができるのであるが、一般に、クローゼット等の収納室は浴室換気暖房乾燥装置から離れた場所に設けられることが多いため、換気通路が長くなる結果、換気抵抗が大きくなる。また、収納室内は様々な収納物で満たされることが多いため、通気性が悪くなり、換気抵抗を増大させる原因となっている。このため、特許文献１記載の浴室換気暖房乾燥装置の場合、装置本体に近く、換気抵抗の低い隣室である洗面所、トイレなどから集中的に換気される反面、装置本体から離れたクローゼット等の収納室からの換気が確実に行われないという問題がある。
【０００５】
また、キッチンに隣接する収納室（例えば、和室の押入れ）等からの換気を行う場合、前記浴室換気暖房乾燥装置の換気運転中に、キッチンに配置されている強力な換気扇が作動すると、キッチン内の負圧が収納室内に伝わり、浴室換気暖房乾燥装置内から換気通路を経由して収納室へ向かう逆流が生じることがある。このような逆流が生じると、同時に換気を行っているトイレや洗面所からの異臭や湿気が、換気通路を経由して、キッチンに隣接する収納室内へ逆流するおそれがある。
【０００６】
一方、前記浴室換気暖房乾燥装置の換気運転中に、トイレ内や洗面所内を強制換気した場合、強力な換気ファンの騒音が、換気通路を介して、同時に換気を行っているクローゼット等の収納室内へ伝播され、さらに、その騒音が当該クローゼットのある寝室内へ広がり、快眠を遮るおそれもある。
【０００７】
本発明が解決しようとする課題は、第一室（浴室）、第二室（トイレ・洗面所）及び第三室（クローゼット等の収納室）を確実に換気することができ、第三室の換気通路を介して寝室等に騒音が伝わり難く、逆流が生じてもその悪影響を抑制することができる浴室換気暖房乾燥装置を提供することにある。
【課題を解決するための手段】
【０００８】
本発明は、浴室内を暖房及び換気する浴室換気暖房乾燥装置であって、
浴室内の空気を吸引して当該浴室内へ排出する循環ファンと、
前記循環ファンと独立して設けられた単一の換気ファンと、
前記換気ファンが吸引した空気を排出する排気口と、
前記換気ファンと第一室である前記浴室とを連通する第一室換気通路と、
前記浴室とは別のトイレ若しくは洗面所の少なくとも一つの第二室と前記換気ファンとを連通し、当該第二室の換気を行う第二室換気通路と、
少なくともクローゼット等の収納室である第三室と連通し、当該第三室の換気を行う第三室換気通路と、
前記第一室換気通路、前記第二室換気通路及び前記第三室換気通路にそれぞれ設けられた開閉駆動機構を有する第一開閉手段、第二開閉手段及び第三開閉手段と、
前記循環ファン、前記換気ファン、前記第一開閉手段、第二開閉手段及び第三開閉手段を制御する制御手段と、を備え、
前記制御手段は、前記第三室の換気を実行するとき、前記第一室及び第二室の換気を実行せず前記第三室の換気を単独で実行するように構成したことを特徴とする。
【０００９】
このような構成とすれば、第三室（クローゼット等の収納室）の換気が実行されるとき、第一室（浴室）及び第二室（トイレ・洗面所）の換気を実行せず、第三室（クローゼット等の収納室）の換気のみが単独で実行されるため、第一室換気通路や第二室換気通路より第三室換気通路が長くなって換気抵抗に差異が生じたり、第三室（収納室）内の収納状態に変化が生じて第三室換気通路の換気抵抗が変化したりしても、第一室（浴室）、第二室（トイレ・洗面所）及び第三室（クローゼット等の収納室）を確実に換気することができる。また、第一室（浴室）や第二室（トイレ・洗面所）の騒音が、第三室換気通路を介して、第三室（クローゼット等の収納室）に隣接する寝室等へ伝わるのを防止することができる。さらに、換気ファンにより第三室を換気している最中に、キッチンに配備された強力な換気扇が起動して、前記換気ファンに打ち勝つような負圧が第三室に生じ、第三室換気通路に逆流が発生しても、第一室や第二室からの異臭や湿気等の悪影響が第三室に及ぶのを抑制することができる。
【００１０】
ここで、前記第三室の換気中に前記第一室及び前記第二室の換気が実行される場合は、前記第三室の換気を休止して前記第一室及び前記第二室の換気を優先して実行する構成とすることが望ましい。このような構成とすれば、第一室及び第二室の換気を迅速且つ確実に行うことができ、第一室及び第二室の換気中に、第一室及び第二室から第三室へ騒音が伝わるのを防止することができる。
【００１１】
この場合、前記第一室及び前記第二室の換気が終了して所定時間が経過した後、前記第三室の換気休止後の換気再開を実行する構成とすることが望ましい。このような構成とすれば、第一室及び第二室の換気終了直後に浴室換気暖房乾燥装置内に滞留する異臭や湿気等が逆流して第三室に流入することも確実に防止することができる。
【００１２】
一方、前記制御手段は計時手段を備え、前記第三室の換気は予め設定された時間帯に所定時間のみ実行する構成とすることが望ましい。このような構成とすれば、必要な時間帯に、必要な時間だけ第三室の換気を行うことになるため、低騒音化、省エネルギ化を図りながら第三室の湿気対策を確実に行うことができる。
【００１３】
この場合、前記時間帯を日中に設定すれば、第三室（クローゼット等の収納室）に隣接する寝室等の居住空間に対し、深夜の睡眠中に換気騒音が伝わるのを抑制できる。また、結露が発生しやすい日中に確実に換気を行うことができる。
【００１４】
一般に、第三室（クローゼット等の収納室）は、急に湿気が発生する環境ではなく、時間をかけて除々に発生した湿気が蓄積していく環境にある。このため、第三室を瞬間的に換気する必要性は低く、確実に安定的に換気することの方が優先される一方、換気中の騒音抑制に対する要請は高い。そこで、前記第三室の換気は、前記第一室及び前記第二室の換気より前記換気ファンの回転を低下させて実行することが望ましい。このような構成とすれば、換気ファンの回転を低下させ、時間をかけて換気を行うことにより、第三室内の湿気を安定的且つ確実に排出することができ、且つ換気中の静粛性も向上する。
【００１５】
さらに、前記第三室換気通路に自重式の逆流防止弁を設けることが望ましい。このような構成とすれば、制御手段の誤動作あるいはダンパの引っかかり等の不具合が生じても、第一室、第二室の換気中における第三室の換気が禁止されるため、寝室や居間等に隣接する第三室へ異臭や湿気等が逆流するのをほぼ完全に防止することができる。
【発明の効果】
【００１６】
本発明により、第一室（浴室）、第二室（トイレ・洗面所）及び第三室（クローゼット等の収納室）を確実に換気することができ、第三室の換気通路を介して寝室等に騒音が伝わり難く、逆流が生じてもその悪影響を抑制することができる浴室換気暖房乾燥装置を提供することができる。
【発明を実施するための最良の形態】
【００１７】
以下、図面に基づいて本発明の実施の形態について説明する。図１は本発明の実施の形態である浴室換気暖房乾燥装置が設置された集合住宅の概略構成を示す断面図、図２は図１に示す浴室換気暖房乾燥装置の構成を示す図、図３は図２に示す浴室換気暖房乾燥装置が設置された集合住宅を示す概略平面図である。
【００１８】
図１，図２に示すように、住宅１内には、水周り設備が設けられた部屋として、浴室２、洗面所３及びトイレ４が配置され、これら以外に、寝室ＢＲ、ウォークイン形式のクローゼット５、押入５１、収納室５２、台所Ｋ、リビングルームＬなどが配置されている。浴室換気暖房乾燥装置２０の本体部２０ａは浴室２の天井裏に配置され、排気通路６及び換気通路８，１０，１２等が接続されている。排気通路６は屋外に開口した排気口７に連通し、換気通路８は洗面所３内に開口した吸気グリル９に連通し、換気通路１０はトイレ４内に開口した吸気グリル１１に連通し、換気通路１２はクローゼット５内に開口する吸気グリル１３に連通している。洗面所３の壁面には操作パネル１４が設置され、トイレ４の壁面にはトイレ換気スイッチ１５が設置されている。なお、本実施形態において、換気通路１２は、押入５１に開口する吸気グリル５３、収納室５２に開口する吸気グリル５４にも連通し、押入５１及び収納室５２の換気通路として機能する。
【００１９】
図３に示すように、本体部２０ａには、循環区画室２１、換気区画室２７及び換気通路３０が設けられている。循環区画室２１内には、循環モータ２２、循環ファン２３及びヒータ２４が配置され、浴室２と連通する吸気口２５及び吹出口２６を介して浴室２内の暖房・乾燥を行う。換気区画室２７内には、換気モータ２８及び換気ファン２９が配置され、排気通路６及び換気通路８，１０，１２がそれぞれ換気区画室２７に接続されている。換気通路８，１０と換気区画室２７との接続口付近には、それぞれ開閉ダンパ３４，３５及びその開閉駆動機構３４ａ，３５ａが設けられている。また、換気通路１２と換気区画室２７との接続口付近には自重式の逆流防止弁３７が設けられ、この逆流防止弁３７よりクローゼット５寄りに位置する換気通路１２内に開閉ダンパ３６及びその開閉機構３６ａが設けられている。
【００２０】
また、吸気口３１を介して浴室２に連通する換気通路３０は、開閉駆動機構３３ａを有する浴室切換ダンパ３３によって開閉される通気口３２を介して換気区画室２７と連通している。循環モータ２２、ヒータ２４、換気モータ２８及び開閉駆動機構３３ａ，３４ａ，３５ａ，３６ａは制御部４０により動作が制御される。洗面所３内に設置された操作パネル１４と制御部４０とは通信線１４ａを介して接続され、トイレ４内に配置されたトイレ換気スイッチ１５と制御部４０とは通信線１５ａを介して接続されている。
【００２１】
図３に示すように、操作パネル１４は、時計部１４ｂ、衣類乾燥スイッチ１４ｃ、浴室乾燥スイッチ１４ｄ、浴室暖房スイッチ１４ｅ、浴室換気スイッチ１４ｆ、クローゼットおまかせ換気スイッチ１４ｇ、クローゼット強制換気スイッチ１４ｈ、運転入予約スイッチ１４ｒ、運転切予約スイッチ１４ｓ及び予約解除スイッチ１４ｔを備えている。
【００２２】
通常、時計部１４ｂには現在時刻が表示されているが、予約操作の際の予約時間等を示す機能も有している。衣類乾燥スイッチ１４ｃは浴室２内で衣類乾燥を行うときに操作するスイッチであり、浴室乾燥スイッチ１４ｄは浴室２内を乾燥させるときに操作するスイッチである。また、浴室暖房スイッチ１４ｅは浴室２内を暖房するときに操作するスイッチであり、浴室換気スイッチ１４ｆは浴室２を換気するときに操作するスイッチである。さらに、運転入予約スイッチ１４ｒは自動的に運転を開始する時刻を設定するときに操作するスイッチであり、運転切予約スイッチ１４ｓは自動的に運転を停止する時刻を設定するときに操作するスイッチであり、予約解除スイッチ１４ｔは自動開始あるいは自動停止の予約を解除するときに操作するスイッチである。
【００２３】
次に、図３，図４，図５に基づいて、浴室換気暖房乾燥装置２０の動作について説明する。図４，図５は図２に示す浴室換気暖房乾燥装置の動作を示すフローチャートである。なお、以下の説明では、第三室はクローゼット５のみであるように記載しているが、換気通路１２は、クローゼット５以外の第三室である押入５１、収納室５２に開口する吸気グリル５３，５４にも連通しているため、クローゼット５の換気を実行するとき、押入５１及び収納室５２の換気も実行される。
【００２４】
通常、浴室換気暖房乾燥装置２０は２４時間換気を実行している。即ち、トイレ換気スイッチ１５、浴室換気スイッチ１４ｆ、クローゼット強制換気スイッチ１４ｈ及びクローゼットおまかせ換気スイッチ１４ｇが全てＯＦＦのとき、図４に示すように、フラグＦ＝０が立ち（Ｓ６０）、２４時間換気が実行される。このとき、制御部４０により開閉駆動機構３４ａ，３５ａ，３６ａが開閉ダンパ３４，３５を開状態、開閉ダンパ３６を閉状態に保ち、逆流防止弁３７は閉状態にあり、この状態で換気ファン２９がＬｏ回転することにより、第一室換気通路（換気通路３０）、第二室換気通路（換気通路８，１０）を通してそれぞれ第一室（浴室２）、第二室（トイレ４及び洗面所３）の換気が実行される。
【００２５】
このとき、第二室（洗面所３及びトイレ４）内の空気は、第二室換気通路（換気通路８，１０）を経由して換気区画室２７内へ吸い込まれるとともに、第一室（浴室２）内の空気も吸気口３１及び換気通路３０を経由して換気区画室２７内へ吸い込まれる。換気区画室２７へ吸い込まれた空気は合流して排気通路６を通過して排気口７から屋外へ排気される。
【００２６】
ここで、図４に示すように、トイレ換気スイッチ１５（図３参照）がＯＮされると（Ｓ１００）、フラグＦ＝１が立ち、図５に示すように、第三室であるクローゼット５の換気通路１２の開閉ダンパ３６が閉状態、クローゼット５の換気がＯＦＦ状態（Ｓ１０１）を保ちながら、トイレ４の換気が実行される（Ｓ１０２）。このとき、換気ファン２９はＨｉ回転し、トイレ４の換気は大状態となり、浴室２及び洗面所３の換気は小状態となる。
【００２７】
次に、図４に示すように、浴室換気スイッチ１４ｆ（図３参照）がＯＮされると（Ｓ１０３）、トイレ換気スイッチ１５のＯＮ・ＯＦＦ判断が行われ（Ｓ１０４）、トイレ換気スイッチ１５がＯＮと判断されるとフラグＦ＝１が立ち、図５で示したＦ＝１の換気が実行される。一方、前記ＯＮ・ＯＦＦ判断（Ｓ１０４）においてトイレ換気スイッチ１５がＯＦＦと判断されると、フラグＦ＝２が立ち、図５に示すように、第三室であるクローゼット５の換気通路１２の開閉ダンパ３６が閉状態でクローゼット５換気がＯＦＦ状態（Ｓ１０５）を保ちながら、浴室２の換気が実行される（Ｓ１０６）。このとき、換気ファン２９はＨｉ回転して、トイレ４の換気は小状態となり、浴室２及び洗面所３の換気は大状態となる。
【００２８】
次に、図４に示すように、クローゼット強制換気スイッチ１４ｈ（図３参照）がＯＮされると（Ｓ１０７）、トイレ換気スイッチ１５のＯＮ・ＯＦＦ判断が行われ（Ｓ１０８）、トイレ換気スイッチ１５がＯＮと判断されるとフラグＦ＝１が立ち、図５のＦ＝１に示す換気が実行される。前記ＯＮ／ＯＦＦ判断（Ｓ１０８）においてトイレ換気スイッチ１５がＯＦＦと判断されると、浴室換気スイッチ１４ｆのＯＮ・ＯＦＦ判断（Ｓ１０９）が行われ、浴室換気スイッチ１４ｆがＯＮと判断されると、フラグＦ＝２が立ち、図５のＦ＝２に示す前述の換気が実行される。
【００２９】
一方、前記ＯＮ・ＯＦＦ判断（Ｓ１０９）において浴室換気スイッチ１４ｆがＯＦＦと判断されるとフラグＦ＝３が立ち、図５に示すように、第一室（浴室２）の換気通路３０の開閉ダンパ３３、第二室（洗面所３）の換気通路８の開閉ダンパ３４及び第二室（トイレ４）の換気通路１０の開閉ダンパ３５が閉状態となる（Ｓ１１０）。そして、前述したフラグＦ＝１，２の実行後、所定時間以上経過したか否かの判断が行われる（Ｓ１１１）。前記判断（Ｓ１１１）にて所定時間以上経過していないと判断されると、リターンし、所定時間以上経過していると判断されると、クローゼット５の換気が実行される（Ｓ１１２）。即ち、クローゼット５の換気通路１２の開閉ダンパ３６が開状態となり、換気ファン２９がＬｏ回転することによってクローゼット５のみの換気が実行される。
【００３０】
次に、図４に示すように、クローゼットおまかせ換気スイッチ１４ｇ（図３参照）がＯＮされると（Ｓ１１３）、トイレ換気スイッチ１５のＯＮ・ＯＦＦ判断が行われ（Ｓ１１４）、トイレ換気スイッチ１５がＯＮと判断されるとフラグＦ＝１が立ち、図５のＦ＝１に示す換気が実行される。前記ＯＮ／ＯＦＦ判断（Ｓ１１４）においてトイレ換気スイッチ１５がＯＦＦと判断されると、浴室換気スイッチ１４ｆのＯＮ・ＯＦＦ判断（Ｓ１１５）が行われ、浴室換気スイッチ１４ｆがＯＮと判断されるとフラグＦ＝２が立ち、図５のＦ＝２に示す換気が実行される。
【００３１】
前記ＯＮ・ＯＦＦ判断（Ｓ１１５）において、浴室換気スイッチ１４ｆがＯＦＦと判断されるとフラグＦ＝４が立ち、図５に示すように、第一室（浴室２）の換気通路３０の開閉ダンパ３３、第二室（洗面所３）の換気通路８の開閉ダンパ３４及び第二室（トイレ４）の換気通路１０の開閉ダンパ３５が閉状態となる（Ｓ１１６）。そして、前述したフラグＦ＝１，２の実行後、所定時間以上経過したか否かの判断が行われる（Ｓ１１７）。前記判断（Ｓ１１７）にて所定時間以上経過していないと判断されると、リターンし、所定時間以上経過していると判断されると、現在の時刻が７：００ＡＭ〜２：００ＰＭの時間内であるか否かの判断が行われる（Ｓ１１８）。前記判断（Ｓ１１８）において前記時間外であると判断されると、クローゼットおまかせ換気は実行されず（Ｓ１１９）、リターンする。
【００３２】
前記判断（Ｓ１１８）において前記時間内であると判断されると、前回の換気実行から５０分経過したか否かの判断が行われ（Ｓ１２０）、５０分経過していないと判断されるとクローゼットおまかせ換気は実行されず（Ｓ１１９）、リターンする。前記判断（Ｓ１２０）において５０分経過していると判断されると、クローゼット５のおまかせ換気が実行される（Ｓ１２１）。即ち、クローゼット５の換気通路１２の開閉ダンパ３６が開状態となり、換気ファン２９がＬｏ回転することによってクローゼット５のみの換気が実行される。
【００３３】
次に、クローゼット５のおまかせ換気の実行時間が１０分経過しているか否かの判断が行われ（Ｓ１２２）、１０分経過していれば、クローゼット５の換気がＯＦＦされる（Ｓ１２３）。前記判断（Ｓ１２２）において、１０分経過していないと判断されると、１０分経過するまでクローゼット５の換気が実行され（Ｓ１２１）、１０分経過後、クローゼット５の換気がＯＦＦされる（Ｓ１２３）。
【００３４】
以上のように、本実施形態の浴室換気暖房乾燥装置２０においては、制御手段である制御部４０は、第三室（クローゼット５）の換気を実行するとき、開閉ダンパ３３，３４，３５を閉止し、開閉ダンパ３６を開放することにより、第一室（浴室２）及び第二室（洗面所３及びトイレ４）の換気を実行せず、第三室（クローゼット５）の換気を単独で実行する。従って、第一室換気通路（換気通路３０）や第二室換気通路（換気通路８，１０）より第三室換気通路（換気通路１２）が長くなって換気抵抗に差異があったり、第三室（クローゼット５）内の収納状態に変化が生じて第三室換気通路（換気通路１２）の換気抵抗が変化したりしても、第一室（浴室２）、第二室（トイレ４及び洗面所３）及び第三室（クローゼット５）を確実に換気することができる。
【００３５】
また、開閉ダンパ３６の開放中は、開閉ダンパ３３，３４，３５が閉止されるため、第一室（浴室２）や第二室（トイレ４及び洗面所３）の騒音が、第三室換気通路（換気通路１２）を介して、第三室（クローゼット５）に隣接する寝室ＢＲ等へ伝わるのを防止することができる。さらに、換気ファン２９により第三室（クローゼット５）を換気している最中に、キッチンＫに配備された強力な換気扇５５が起動して、換気ファン２９に打ち勝つような負圧が第三室（クローゼット５）に生じ、第三室換気通路（換気通路１２）に逆流が発生しても、第一室（浴室２）や第二室（トイレ４及び洗面所３）からの異臭や湿気等の悪影響が第三室（クローゼット５）に及ぶのを抑制することができる。
【００３６】
さらに、第三室（クローゼット５）の換気中に第一室（浴室２）や第二室（トイレ４及び洗面所３）の換気が実行される場合は、第三室（クローゼット５）の換気を休止して第一室（浴室２）及び第二室（トイレ４及び洗面所３）の換気を優先して実行する構成としている。従って、第一室（浴室２）及び第二室（トイレ４及び洗面所３）の換気を迅速且つ確実に行うことができ、第一室（浴室２）及び第二室（トイレ４及び洗面所３）の換気中に、第一室（浴室２）及び第二室（トイレ４及び洗面所３）から第三室（クローゼット５）へ騒音が伝わるのを防止することができる。
【００３７】
この場合、第一室（浴室２）及び第二室（トイレ４及び洗面所３）の換気が終了して所定時間が経過した後、第三室（クローゼット５）の換気休止後の換気再開を実行する構成としている。従って、第一室（浴室２）及び第二室（トイレ４及び洗面所３）の換気終了直後に浴室換気暖房乾燥装置２０の本体部２０ａ内に滞留する異臭や湿気等が逆流して第三室（クローゼット５）へ流入するのを確実に防止することができる。
【００３８】
一方、制御部４０は計時手段を備え、第三室（クローゼット５）の換気は予め設定された時間帯（例えば、７：００ＡＭ〜２：００ＰＭ等）に所定時間（例えば、５０分ごとに１０分間）のみ実行する構成としている。従って、必要な時間帯に、必要な時間だけ第三室（クローゼット５）の換気を行うことになり、低騒音化、省エネルギ化を図りながら第三室（クローゼット５）の湿気対策を確実に行うことができる。
【００３９】
この場合、前記時間帯を日中（例えば、７：００ＡＭ〜２：００ＰＭ）に設定されているので、第三室（クローゼット５）に隣接する寝室ＢＲ等の居住空間に対し、深夜の睡眠中に換気騒音が伝わるのを抑制できる。また、結露が発生しやすい日中に確実に換気を行うことができる。なお、本実施形態では、前記時間帯を７：００ＡＭ〜２：００ＰＭとしているが、これは一例であり、睡眠時間が日中の人等のライフスタイルに合わせて自由に変更設定できるように構成することは一層望ましい形態であると言える。また、５０分ごとに１０分間、クローゼット５の換気を行うようになっているが、これに限られるものではなく、例えば、７時から９時までの２時間は４０分ごとに２０分間換気、それ以降は、５０分ごとに１０分間換気等に設定して、湿気が多いと思われる最初の換気量を多くして電気代と換気性能の両立を図るようなことは一層望ましい形態であると言える。さらに、湿気が多い夏場は、３０分ごとに３０分間換気を行うなど、季節に応じて換気時間を変えることも望ましい形態である。そのほか、クローゼット５内の湿度を実際に測定し、その湿度に応じて換気時間を変えることも望ましい形態であると言える。
【００４０】
また、第三室（クローゼット５）の換気は、第一室（浴室２）及び第二室（トイレ４及び洗面所３）の換気より換気ファン２９の回転を低下させて実行する構成としている。このように、換気ファン２９の回転を低下させ、時間をかけて換気を行うことにより、第三室（クローゼット５）内の湿気を安定的且つ確実に排出することができ、且つ換気中の静粛性も優れている。
【００４１】
さらに、図３に示すように、第三室換気通路（換気通路）に自重式の逆流防止弁３７を設けているため、制御部４０の誤動作あるいは開閉ダンパ３６の引っかかり等の不具合が生じたとき、逆流防止弁３７が自動的に閉じて、第一室（浴室２）、第二室（トイレ３及び洗面所４）の換気中における第三室（クローゼット５）の換気が禁止されるため、寝室ＢＲに隣接する第三室（クローゼット５）へ異臭や湿気等が逆流するのをほぼ完全に防止することができる。
【産業上の利用可能性】
【００４２】
本発明の浴室換気暖房乾燥装置は、クローゼット等の収納室を備えた戸建住宅あるいはマンション等の集合住宅において広く利用することができる。
【図面の簡単な説明】
【００４３】
【図１】本発明の実施の形態である浴室換気暖房乾燥装置が設置された集合住宅の概略構成を示す断面図である。
【図２】図１に示す浴室換気暖房乾燥装置の構成を示す図である。
【図３】図２に示す浴室換気暖房乾燥装置が設置された集合住宅を示す概略平面図である。
【図４】図２に示す浴室換気暖房乾燥装置の動作を示すフローチャートである。
【図５】図２に示す浴室換気暖房乾燥装置の動作を示すフローチャートである。
【符号の説明】
【００４４】
１  住宅
２  浴室
３  洗面所
４  トイレ
５  クローゼット
６  排気通路
７  排気口
８，１０，１２  換気通路
９，１１，１３，５３，５４  吸気グリル
１４  操作パネル
１４ａ，１５ａ  通信線
１４ｂ  時計部
１４ｃ  衣類乾燥スイッチ
１４ｄ  浴室乾燥スイッチ
１４ｅ  浴室暖房スイッチ
１４ｆ  浴室換気スイッチ
１４ｇ  クローゼットおまかせ換気スイッチ
１４ｈ  クローゼット強制換気スイッチ
１４ｒ  運転入予約スイッチ
１４ｓ  運転切予約スイッチ
１４ｔ  予約解除スイッチ
１５  トイレ換気スイッチ
２０  浴室換気暖房乾燥装置
２０ａ  本体部
２１  循環区画室
２２  循環モータ
２３  循環ファン
２４  ヒータ
２５  吸気口
２６  吹出口
２７  換気区画室
２８  換気モータ
２９  換気ファン
３０  換気通路
３１  吸気口
３２  通気口
３３  浴室切換ダンパ
３４，３５，３６  開閉ダンパ
３３ａ，３４ａ，３５ａ，３６ａ  開閉駆動機構
３７  逆流防止弁
４０  制御部
５１  押入
５２  収納室
５５  換気扇
ＢＲ  寝室
Ｋ  キッチン
Ｌ  リビング
【図１】
2008241096.tif 000003
【図２】
2008241096.tif 000004
【図３】
2008241096.tif 000005
【図４】
2008241096.tif 000006
【図５】
2008241096.tif 000007
【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
浴室内を暖房及び換気する浴室換気暖房乾燥装置であって、
浴室内の空気を吸引して当該浴室内へ排出する循環ファンと、
前記循環ファンと独立して設けられた単一の換気ファンと、
前記換気ファンが吸引した空気を排出する排気口と、
前記換気ファンと第一室である前記浴室とを連通し、当該第一室の換気を行う第一室換気通路と、
前記浴室とは別のトイレ若しくは洗面所の少なくとも一つの第二室と前記換気ファンとを連通し、当該第二室の換気を行う第二室換気通路と、
少なくともクローゼット等の収納室である第三室と連通し、当該第三室の換気を行う第三室換気通路と、
前記第一室換気通路、前記第二室換気通路及び前記第三室換気通路にそれぞれ設けられた開閉駆動機構を有する第一開閉手段、第二開閉手段及び第三開閉手段と、
前記循環ファン、前記換気ファン、前記第一開閉手段、第二開閉手段及び第三開閉手段を制御する制御手段と、を備え、
前記制御手段は、前記第三室の換気を実行するとき、前記第三開閉手段を開き、前記第一開閉手段及び第二開閉手段を閉じて換気ができない状態として、常に第三室のみからの換気を単独で実行する構成とし、
前記第三室の換気中に前記第一室や前記第二室の換気が実行される場合は、前記第三室の換気ができないように前記第三開閉手段を閉じて換気を休止し、前記第一開閉手段や第二開閉手段を開放し、前記第一室や前記第二室からの換気を優先して実行する構成としたことを特徴とする浴室換気暖房乾燥装置。
【請求項２】
前記第一室及び前記第二室の換気を終了して所定時間が経過した後、前記第三室の換気休止後の換気再開を実行することを特徴とする請求項１記載の浴室換気暖房乾燥装置。
【請求項３】
前記制御手段は計時手段を備え、前記第三室の換気は予め設定された時間帯でのみ実行されることを特徴とする請求項１または２に記載の浴室換気暖房乾燥装置。
【請求項４】
前記時間帯を日中に設定したことを特徴とする請求項３記載の浴室換気暖房乾燥装置。
【請求項５】
前記第三室の換気は、前記第一室及び前記第二室の換気より前記換気ファンの回転を低下させて実行することを特徴とする請求項１〜４のいずれかに記載の浴室換気暖房乾燥装置。
【請求項６】
前記第三室換気通路に自重式の逆流防止弁を設けたこと特徴とする請求項１〜５のいずれかに記載の浴室換気暖房乾燥装置。
【手続補正２】
【補正対象書類名】明細書
【補正対象項目名】０００８
【補正方法】変更
【補正の内容】
【０００８】
本発明は、浴室内を暖房及び換気する浴室換気暖房乾燥装置であって、
浴室内の空気を吸引して当該浴室内へ排出する循環ファンと、
前記循環ファンと独立して設けられた単一の換気ファンと、
前記換気ファンが吸引した空気を排出する排気口と、
前記換気ファンと第一室である前記浴室とを連通し、当該第一室の換気を行う第一室換気通路と、
前記浴室とは別のトイレ若しくは洗面所の少なくとも一つの第二室と前記換気ファンとを連通し、当該第二室の換気を行う第二室換気通路と、
少なくともクローゼット等の収納室である第三室と連通し、当該第三室の換気を行う第三室換気通路と、
前記第一室換気通路、前記第二室換気通路及び前記第三室換気通路にそれぞれ設けられた開閉駆動機構を有する第一開閉手段、第二開閉手段及び第三開閉手段と、
前記循環ファン、前記換気ファン、前記第一開閉手段、第二開閉手段及び第三開閉手段を制御する制御手段と、を備え、
前記制御手段は、前記第三室の換気を実行するとき、前記第三開閉手段を開き、前記第一開閉手段及び第二開閉手段を閉じて換気ができない状態として、常に第三室のみからの換気を単独で実行する構成とし、
前記第三室の換気中に前記第一室や前記第二室の換気が実行される場合は、前記第三室の換気ができないように前記第三開閉手段を閉じて換気を休止し、前記第一開閉手段や前記第二開閉手段を開放し、前記第一室や前記第二室からの換気を優先して実行する構成としたことを特徴とする。
【手続補正３】
【補正対象書類名】明細書
【補正対象項目名】００１０
【補正方法】変更
【補正の内容】
【００１０】
また、前記第三室の換気中に前記第一室や前記第二室の換気が実行される場合は、前記第三室の換気ができないように前記第三開閉手段を閉じて換気を休止し、前記第一開閉手段や第二開閉手段を開放し、前記第一室や前記第二室からの換気を優先して実行する構成としたことにより、第一室や第二室の換気を迅速且つ確実に行うことができ、第一室や第二室の換気中に、第一室や第二室から第三室へ騒音が伝わるのを防止することができる。